(57)【要約】【課題】雪の重み掛かっても屋根材が捲りあげられにくい、雪止め具、及び雪止め具が設けられた屋根構造を提供する。【解決手段】本発明では、複数の屋根材２、雪止め具１、及び固定部材３を備え、屋根材２は、第一屋根材２１及び第二屋根材２２を含み、第一屋根材２１が、棟側端部から上方に突出した防水堤２３を備え、第二屋根材２２が、軒側端部から下方に突出した前垂れ２４を備え、第一屋根材２１の棟側端部上に、第二屋根材２２の軒側端部が重ねられ、防水堤２３と前垂れ２４との間に隙間２６があり、雪止め具１は、装着部１０及び雪止め部１１を備え、装着部１０が、上片１２及び係止片１３を備え、上片１２が、第二屋根材２２の軒側端部の表面の上に配置され、係止片１３が、防水堤２３と前垂れ２４との間の隙間２６に配置され、固定部材３が、上片１２及び第二屋根材２２を貫通し、固定部材３が、係止片１３と結合している。【選択図】図１
2015183385.tif 000002
【特許請求の範囲】
【請求項１】
複数の屋根材、雪止め具、及び固定部材を備え、
前記屋根材は、第一屋根材及び第二屋根材を含み、
前記第一屋根材が、棟側端部から上方に突出した防水堤を備え、
前記第二屋根材が、軒側端部から下方に突出した前垂れを備え、
前記第一屋根材の棟側端部上に、前記第二屋根材の軒側端部が重ねられ、
前記防水堤と前記前垂れとの間に隙間があり、
前記雪止め具は、雪止め部及び装着部を備え、
前記装着部が、上片及び係止片を備え、
前記上片が、前記第二屋根材の軒側端部の表面の上に配置され、
前記係止片が、前記防水堤と前記前垂れとの間の隙間に配置され、
前記固定部材が、前記上片及び前記第二屋根材を貫通し、
前記固定部材が、前記係止片と結合している屋根構造。
【請求項２】
前記係止片が、前記前垂れに引っ掛けられている請求項１に記載の屋根構造。
【請求項３】
前記第二屋根材が、裏面且つ前記前垂れの棟側に、下方に突出した中垂れを備え、
前記中垂れが、前記防水堤の軒側に位置し、
前記中垂れと前記前垂れとの間に隙間があり、
前記係止片が、前記中垂れと前記前垂れとの間の隙間に配置されている請求項１又は２に記載の屋根構造。
【請求項４】
装着部及び雪止め部を備え、
前記装着部は、上片及び係止片を備え、
前記上片が、屋根材の軒側端部の表面上に配置され、
前記係止片が、前記屋根材の軒側端部から下方に突出した部分である前垂れの棟側に配置され、
前記上片と前記屋根材とが、固定部材で貫通され、
前記係止片が、前記固定部材と結合される雪止め具。
【発明の詳細な説明】
【技術分野】
【０００１】
本発明は、雪止め具、及び雪止め具が屋根材に設けられた屋根構造に関するものである。
【背景技術】
【０００２】
従来、屋根上に屋根材が葺かれた建築物において、屋根上に積もった雪が滑り落ちることを防ぐため、各種の屋根構造が採用されている。
【０００３】
例えば、特許文献１には、雪止め部、背面下板、及び背面上板を備える瓦屋根用雪止め金具が記載されている。また、特許文献１には、瓦の先端部分を、背面下板の瓦下方差し込み部と、背面上板の瓦抑え部とで挟持することにより、瓦屋根用雪止め金具を瓦屋根に固定することも記載されている。
【先行技術文献】
【特許文献】
【０００４】
【特許文献１】特許第３７６４６６０号公報
【発明の概要】
【発明が解決しようとする課題】
【０００５】
しかし、特許文献１に記載されている雪止め金具の場合、雪止め部に雪の重みが掛かると、瓦下方差し込み部や瓦抑え部が脱落したり、変形したりすることにより、屋根材が持ち上げられ、屋根材が捲りあげられてしまうという問題があった。
【０００６】
本発明は上記の点に鑑みてなされたものであり、雪の重みが掛かっても屋根材が持ち上げられたり、屋根材が捲りあげられたりしにくい雪止め具、及び雪止め具が屋根材に設けられた屋根構造を提供することを目的とする。
【課題を解決するための手段】
【０００７】
本発明に係る屋根構造は、複数の屋根材、雪止め具、及び固定部材を備え、
前記屋根材は、第一屋根材及び第二屋根材を含み、
前記第一屋根材が、棟側端部から上方に突出した防水堤を備え、
前記第二屋根材が、軒側端部から下方に突出した前垂れを備え、
前記第一屋根材の棟側端部上に、前記第二屋根材の軒側端部が重ねられ、
前記防水堤と前記前垂れとの間に隙間があり、
前記雪止め具は、装着部及び雪止め部を備え、
前記装着部が、上片及び係止片を備え、
前記上片が、前記第二屋根材の軒側端部の表面の上に配置され、
前記係止片が、前記防水堤と前記前垂れとの間の隙間に配置され、
前記固定部材が、前記上片及び前記第二屋根材を貫通し、
前記固定部材が、前記係止片と結合している。
【０００８】
本発明に係る屋根構造にあっては、前記係止片が、前記前垂れに引っ掛けられていることが好ましい。
【０００９】
本発明に係る屋根構造にあっては、前記第二屋根材が、裏面且つ前記前垂れの棟側に、下方に突出した中垂れを備え、
前記中垂れが、前記防水堤の軒側に位置し、
前記中垂れと前記前垂れとの間に隙間があり、
前記係止片が、前記中垂れと前記前垂れとの間の隙間に配置されていることが好ましい。
【００１０】
本発明に係る雪止め具は、装着部及び雪止め部を備え、
前記装着部は、上片及び係止片を備え、
前記上片が、屋根材の軒側端部の表面上に配置され、
前記係止片が、前記屋根材の軒側端部から下方に突出した部分である前垂れの棟側に配置され、
前記上片と前記屋根材とが、固定部材で貫通され、
前記係止片が、前記固定部材と結合される。
【発明の効果】
【００１１】
本発明では、固定部材が貫通した上片及び第二屋根材、並びに固定部材と結合された係止片によって、雪止め具を第二屋根材に強く固定することができる。更に、雪止め具に雪の重みが掛かっても、上片や係止片が脱落しにくく、又は上片や係止片が変形しにくい。このため、第二屋根材が持ち上げられにくく、又は第二屋根材が捲りあげられにくい。
【図面の簡単な説明】
【００１２】
【図１】本発明の第一の実施形態に係る屋根構造を示す図である。図１Ａは、屋根構造の要部の概略の断面図である。図１Ｂは、屋根構造における雪止め具が設けられた部分の拡大断面図である。
【図２】本発明の第一の実施形態に係る屋根構造の要部の概略の斜視図である。
【図３】図２に示す屋根構造の要部の拡大図である。
【図４】本発明の第一の実施形態に係る雪止め具の概略の斜視図である。
【図５】本発明の第一の実施形態に係る雪止め具の設置方法を示す概略の断面図である。
【図６】従来の雪止め具を設置した屋根構造において、屋根材が浮き上がる様子を示す図である。図６Ａは、雪止め具に雪の重みが掛かる方向を示す。図６Ｂは、雪止め具に雪の重みが掛かった際に、屋根材が浮き上がる様子を示す。
【図７】本発明の第二の実施形態に係る屋根構造の要部の概略の断面図である。
【図８】本発明の第三の実施形態に係る雪止め具の概略の斜視図である。
【図９】本発明の第三の実施形態に係る屋根構造の要部の概略の断面図である。
【発明を実施するための形態】
【００１３】
以下、本発明を実施するための形態を説明する。
【００１４】
図１Ａに示すように、本実施形態に係る屋根構造は、複数の屋根材２、雪止め具１、及び固定部材３を備える。屋根材２は、第一屋根材２１及び第二屋根材２２を含む。第一屋根材２１が、棟側端部から上方に突出した防水堤２３を備える。第二屋根材２２が、軒側端部から下方に突出した前垂れ２４を備える。第一屋根材２１の棟側端部上に、第二屋根材２２の軒側端部が重ねられている。防水堤２３と前垂れ２４との間に隙間２６がある。雪止め具１は、装着部１０及び雪止め部１１を備える。装着部１０が、上片１２及び係止片１３を備える。上片１２が、第二屋根材２２の軒側端部の表面の上に配置される。係止片１３が防水堤２３と前垂れ２４との間の隙間２６に配置される。固定部材３が、上片１２及び第二屋根材２２を貫通する。固定部材３が、係止片１３と結合している。
【００１５】
本実施形態に係る屋根構造が、このような構成を備えるため、固定部材３が貫通した上片１２及び第二屋根材２２、並びに固定部材３と結合された係止片１３によって、雪止め具１を第二屋根材２２に強く固定することができる。このため、雪止め具１に雪の重みが掛かっても、上片１２や係止片１３が第二屋根材２２から脱落しにくく、上片１２や係止片１３が変形しにくい。このため、雪止め具１に雪の重みが掛かっても、第二屋根材２２が持ち上げられにくく、第二屋根材２２が捲りあげられにくい。
【００１６】
尚、本明細書における軒側とは屋根の傾斜に沿った斜め下側のことであり、棟側とは屋根の傾斜に沿った斜め上側のことであり、軒棟方向とは屋根の傾斜に沿った方向である。
【００１７】
以下、本発明の第一の実施形態に係る雪止め具１、及び屋根構造について、更に詳しく説明する。
【００１８】
本実施形態において、屋根上には、複数の屋根材２が敷設されている。屋根材２は、例えば、平面視矩形状のスレート瓦である。屋根材２は、屋根の軒棟方向に複数敷設される。屋根材２は、屋根の軒棟方向と直交する方向に複数敷設される。屋根材２の棟側端部の上には、別の屋根材２の軒側端部が重ねられている。
【００１９】
本実施形態の屋根材２は、全て同じ形状である。屋根材２の表面には、傾斜方向の異なる複数の傾斜面２８が設けられている（図２参照）。
【００２０】
屋根材２は、棟側端部から上方に突出した防水堤２３を備える。防水堤２３は、屋根材２の棟側端部の全長に亘って形成されている。
【００２１】
屋根材２は、軒側端部から下方に突出した前垂れ２４を備える。前垂れ２４は、屋根材２の軒側端部の全長に亘って形成されている。
【００２２】
屋根材２は、第一屋根材２１、及び第二屋根材２２を含む。本実施形態の第二屋根材２１は、雪止め具１が設けられる屋根材２である。本実施形態の第一屋根材２１は、第二屋根材２２の軒側に配置された屋根材２である。このため、第一屋根材２１の棟側端部上に、第二屋根材２２の軒側端部が重ねられている。
【００２３】
本実施形態では、防水堤２３と前垂れ２４とは、間隔をあけて対向している。このため、防水堤２３と前垂れ２４との間には、隙間２６があいている（図３参照）。
【００２４】
図４に示すように、雪止め具１は、装着部１０と雪止め部１１とを備える。雪止め具１は、例えば、板状の部材を折り曲げることで形成することができる。雪止め具１は、例えば金属製である。
【００２５】
雪止め部１１は、雪止め板１７、水平片１８、及び傾斜片１９を備える。
【００２６】
雪止め板１７は、水平片１８の軒側端部から上方に突出している。傾斜片１９は、水平片１８の棟側端部から斜め上方に突出している。本実施形態では、雪止め板１７から水平片１８に亘って、補強リブ４が形成されている。雪止め板１７は、例えば、水平片１８の軒側端部を折り曲げることにより形成可能である。傾斜片１９は、例えば、水平片１８の棟側端部を折り曲げることにより形成可能である。
【００２７】
装着部１０は、上片１２、中片１４、及び係止片１３を備える。
【００２８】
上片１２は、中片１４の上端から棟側に伸びている。上片１２の軒側端部と中片１４の上端は、傾斜片１９の先端と接続している。上片１２は、例えば、傾斜片１９にＵ字状の切れ込みを設け、この切れ込みの内側部分を折り返すことにより、形成することができる。このため、上片１２は、傾斜片１９と一体成形することができる。本実施形態では、上片１２の先端が上方に屈曲している。
【００２９】
係止片１３は、中片１４の下端から棟側に伸びている。係止片１３は、係止凸部１６を備える。係止凸部１６は上方に突き出ている。本実施形態では、係止片１３の棟側端部は、断面が先端に向かって薄くなっている、テーパー形状である。
【００３０】
図１Ｂに示すように、係止凸部１６の高さは、第二屋根材２２の裏面から前垂れ２４の先端までの長さＸと同じである。尚、本明細書における同じとは、厳密に同じであること、及び略同じであることを含む。また、中片１４の長さは、第二屋根材２２の表面から前垂れ２４の先端までの長さＹと同じである。また、上片１２と係止凸部１６との間の間隔は、第二屋根材２２の厚みＺと同じである。
【００３１】
上片１２及び係止凸部１６には、貫通孔１５が形成されている（図４参照）。係止凸部１６の貫通孔１５の上方には、上片１２の貫通孔１５が位置する。この貫通孔１５は、例えば、上片１２を傾斜片１９と一体成形する前に、予め傾斜片１９に孔を形成することで設けてもよい。この場合、上片１２の貫通孔１５と係止凸部１６の貫通孔１５の位置を、容易に決定することができる。本実施形態では、係止凸部１６の貫通孔１５の内側には、ねじ山が形成されている。
【００３２】
図１Ｂに示すように、本実施形態の屋根構造では、上片１２が、第二屋根材２２の軒側端部の表面上に配置されている。係止片１３は、第二屋根材２２の軒側端部の裏面下に配置されている。このため、第二屋根材２２の軒側端部は、上片１２と係止片１３によって、挟まれている。
【００３３】
本実施形態では、係止片１３は、防水堤２３と前垂れ２４との間の隙間２６に配置されている。具体的には、係止凸部１６が防水堤２３と前垂れ２４との間の隙間２６に配置されている。
【００３４】
本実施形態では、係止片１３は、前垂れ２４に引っ掛けられている。具体的には、係止凸部１６の軒側が前垂れ２４の棟側と接している。
【００３５】
本実施形態では、中片１４の棟側が、第二屋根材２２の軒側端部の端面と接している。
【００３６】
本実施形態では、固定部材３は、上片１２と第二屋根材２２とを貫通している。具体的には、固定部材３が、上片１２の貫通孔１５を通って第二屋根材２２を貫通している。このため、第二屋根材２２における固定部材３によって貫通されている部分は、防水堤２３と前垂れ２４との間の隙間２６の上方に位置している（図１Ｂ参照）。本実施形態の固定部材３は、ねじ山が形成されたビスであり、特にタッピングビスであることが好ましい。
【００３７】
本実施形態では、固定部材３は、係止片１３と結合している。具体的には、上片１２と第二屋根材２２とを貫通した固定部材３が、係止凸部１６の貫通孔１５を貫通して、結合している。更に具体的には、固定部材３のねじ山と、係止凸部１６の貫通孔１５の内側のねじ山とが、かみ合って結合している。
【００３８】
本実施形態では、雪止め部１１が、第一屋根材２１の上にある。具体的には、水平片１８が、第一屋根材２１の表面上にある。
【００３９】
本実施形態の雪止め具１、及び屋根構造が、上記の構成を備えるため、以下の効果を奏する。
【００４０】
本実施形態の雪止め具１、及び雪止め具１を備えた屋根構造の効果を示すにあたり、まず、従来例である、屋根材６０、屋根材６０上の棟側に重ねられた屋根材６１、及び屋根材６１に雪止め具６２が設けられた屋根構造について説明する。
【００４１】
従来例の屋根構造では、第二屋根材６１の軒側端部が、雪止め具６２の上片６３及び係止片６４によって、挟まれている（図６Ａ参照）。上片６３は屋根材６１上に配置されているが、屋根材６１に固定されていない。係止片６４は、屋根材６１の裏側に配置されているが、屋根材６１に固定されていない。
【００４２】
雪止め具６２の雪止め板６５には、図６Ａに示すＧの方向に、雪６６の重みが掛かる。
【００４３】
この場合、上片６３及び係止片６４は、屋根材６１と固定されていないため、上片６３及び係止片６４が変形し、屋根材６１から脱落してしまう。更に、屋根材６１が、上方に持ち上げられる（図６Ｂ参照）。
【００４４】
一方、本実施形態の屋根構造では、第二屋根材２２の軒側端部が上片１２と係止片１３によって挟まれると共に、固定部材３が上片１２と第二屋根材２２を貫通し、固定部材３が係止凸部１６と結合しているため、雪止め具１が、第二屋根材２２に強く固定されている。このため、雪止め部１１に雪の重みが掛かっても、上片１２や係止片１３が第二屋根材２２から脱落しにくく、上片１２や係止片１３が変形しにくい。このため、雪止め具１に雪の重みが掛かっても、第二屋根材２２が持ち上げられにくく、第二屋根材２２が捲り上げられにくい。特に、上片１２が第二屋根材２２の表面上に固定されているため、第二屋根材２２が持ち上げられて、第二屋根材２２と第一屋根材２１との間の隙間が大きくなりにくい。
【００４５】
本実施形態の屋根構造では、係止凸部１６が前垂れ２４の棟側に引っ掛けられているため、装着部１０を第二屋根材２２にしっかりと固定することができる。更に、固定部材３と係止凸部１６の貫通孔１５との結合が緩んだとしても、装着部１０ががたつきにくい。
【００４６】
本実施形態の屋根構造では、第一屋根材２１の棟側端部に防水堤２３が形成されているため、第二屋根材２２の裏側に雨水等が侵入しても、防水堤２３でせき止めることができる。このため、第二屋根材２２の裏側の防水性が確保される。
【００４７】
第二屋根材２２における固定部材３によって貫通されている部分が、防水堤２３と前垂れ２４との間の隙間２６の上方に位置しているため、第二屋根材２２に固定部材３によって貫通されている部分から雨水等が侵入したとしても、防水堤２３と前垂れ２４との間の隙間２６で、雨水等を受けることができる。このため、第二屋根材２２の裏側の防水性をより確保することができる。
【００４８】
雪止め板１７が第一屋根材２１の上方に向かって突出しているため、雪止め板１７で屋根上に積もった雪を支えることができ、屋根から雪が落下することを防ぐことができる。特に、雪止め板１７及び水平片１８には補強リブ４が設けられているため、雪の重みが水平片１８及び雪止め板１７に掛かったとしても、水平片１８及び雪止め板１７が変形しにくい。
【００４９】
本実施形態の雪止め具１を設置する手順について、以下に示す。
【００５０】
まず、上片１２の先端を第二屋根材２２の軒側端部上に当てながら、係止片１３の先端を、第二屋根材２２の下、且つ前垂れ２４の下に差し込む（図５参照）。
【００５１】
このとき、上片１２の先端が上方に折れ曲がっていると共に、係止片１３の先端がテーパー形状であるため、係止片１３の先端を前垂れ２４の下に差し込みやすい。
【００５２】
次に、係止片１３を防水堤２３と前垂れ２４との隙間２６に差し込む。このとき、係止片１３は、係止凸部１６が防水堤２３と前垂れ２４との間の隙間２６に入り、係止凸部１６の軒側が前垂れ２４の棟側に当たるまで差し込む。これにより、第二屋根材２２の軒側端部が、上片１２と係止片１３によって挟まれる。
【００５３】
次に、上片１２の貫通孔１５から固定部材３を差し込み、上片１２及び第二屋根材２２を貫通させる。この時、第二屋根材２２における上片１２の貫通孔１５の下方の位置に、予め貫通孔を形成していてもよい。
【００５４】
次に、第二屋根材２２を貫通した固定部材３を、係止凸部１６の貫通孔１５に結合する。本実施形態では、固定部材３にねじ山の形成されていて、係止凸部１６の貫通孔１５の内側にもねじ山が形成されているため、固定部材３をねじ込むことにより、固定部材３と、係止凸部１６の貫通孔１５を結合することができる。
【００５５】
上記の手順により、固定部を第二屋根材２２に固定することができ、雪止め具１を第二屋根材２２に設置することができる。
【００５６】
本実施形態の屋根構造では、屋根材２が全て同じ形状であり、全ての屋根材２が防水堤２３及び前垂れ２４を備えている。このため、いずれの屋根材２に対しても、雪止め具１を設置することができる。更に、複数の雪止め具１を、任意の屋根材２に対して設置することができる。尚、本発明の屋根構造はこれに限られない。例えば、雪止め具１が設置される屋根材２のみが前垂れ２４を備え、この屋根材２の軒側に配置される屋根材２のみが防水堤２３を備えてもよい。
【００５７】
以下、本発明の第二の実施形態に係る雪止め具、及び屋根構造について説明する。
【００５８】
本実施形態における雪止め具１は、第一の実施形態に係る雪止め具１と同じである。
【００５９】
図７に示すように、本実施形態では、屋根材２が、裏面且つ前垂れ２４の棟側に中垂れ２５を備える。
【００６０】
中垂れ２５と前垂れ２４との間には隙間２７があいている。中垂れ２５は、第一屋根材２１の防水堤２３と第二屋根材２２の前垂れ２４との間に位置する。
【００６１】
本実施形態の屋根構造では、装着部１０の係止片１３が、前垂れ２４と中垂れ２５との間の隙間２７に配置される。具体的には、係止凸部１６が、前垂れ２４と中垂れ２５との間の隙間２７に配置される。
【００６２】
本実施形態では、係止凸部１６が、前垂れ２４及び中垂れ２５に引っ掛けられている。
【００６３】
固定部材３が、上片１２及び第二屋根材２２を貫通し、係止凸部１６と結合している。本実施形態では、第二屋根材２２における固定部材３によって貫通されている部分が、前垂れ２４と中垂れ２５との間の隙間２７の上方に位置している。
【００６４】
本実施形態の雪止め具１、及び屋根構造が、上記の構成を備えるため、以下の効果を奏する。
【００６５】
第二屋根材２２が中垂れ２５を備え、中垂れ２５が第一屋根材２１の防水堤２３の軒側に位置するため、第二屋根材２２の裏側に雨水等が侵入しても、中垂れ２５及び防水堤２３でせき止めることができる。このため、第二屋根材２２の裏側の防水性が更に確保される。
【００６６】
第二屋根材２２における固定部材３によって貫通されている部分が、前垂れ２４と中垂れ２５との間の隙間２７の上方に位置しているため、第二屋根材２２に固定部材３によって貫通されている部分から雨水等が侵入したとしても、前垂れ２４と中垂れ２５との間の隙間２７で、雨水等を受けることができる。このため、第二屋根材２２の裏側の防水性をより確保することができる。
【００６７】
係止凸部１６が、前垂れ２４と中垂れ２５との間の隙間２７に位置し、前垂れ２４及び中垂れ２５に引っ掛けられているため、装着部１０を第二屋根材２２にしっかりと固定することができる。更に、固定部材３と係止凸部１６の貫通孔１５との結合が緩んだとしても、固定部１０ががたつきにくい。
【００６８】
本実施形態に係る雪止め具１は、第一の実施形態に係る雪止め具１と同様に設置することができる。
【００６９】
特に、本実施形態では、雪止め具１を第二屋根材２２に設置する際、前垂れ２４と中垂れ２５との間の隙間２７に係止凸部１６を位置させるため、固定部１０を設置する位置を、容易に決めることができる。
【００７０】
また、係止凸部１６が、前垂れ２４と中垂れ２５との間の隙間２７に位置しているため、係止凸部１６が動きにくい。このため、固定部材３と係止凸部１６とを容易に結合することができる。
【００７１】
以下、本発明の第三の実施形態に係る雪止め具について説明する。
【００７２】
図９に示すように、本実施形態に係る屋根構造は、第一の実施形態における複数の屋根材２及び固定部材３を備え、更に雪止め具１００を備える。
【００７３】
雪止め具１００は、図８に示すように雪止め板１１０、上片１２０、係止片１３０を備える。
【００７４】
上片１２０は、第一の実施形態における上片１２と同様の構成を備える。
【００７５】
係止片１３０は、第一の実施形態における係止片１３と同様の構成を備える。
【００７６】
本実施形態では、上片１２０が、雪止め板１１０から棟側に突出している。上片１２０は、例えば、雪止め板１１０にＵ字状の切れ込みを設け、この切れ込みの内側を棟側に折り曲げることで形成することができる。
【００７７】
係止片１３０は、雪止め板１１０の下端から棟側に突出している。係止片１３０は、例えば、雪止め板１１０の下端を棟側に折り曲げることにより形成することができる。
【００７８】
本実施形態では、上片１２０と係止片１３０との間の間隔が、第二屋根材２２の表面から前垂れ２４の先端までの長さと同じである。
【００７９】
このため、本実施形態では雪止め板１１０が、第一の実施形態の中片１４を兼ねている。このため、本実施形態の雪止め具１００は、第一の実施形態における傾斜片１９及び水平片１８を備えていない。
【００８０】
本実施形態の屋根構造では、図９に示すように、第二屋根材２２の軒側端部が、上片１２０と係止片１３０によって挟まれている。また、固定部材３が、上片１２０及び第二屋根材２２を貫通して、係止片１３０と結合している。
【００８１】
本実施形態の屋根構造が、上記の構成を備えるため、以下の効果を奏する。
【００８２】
第二屋根材２２の軒側端部が上片１２０と係止片１３０によって挟まれると共に、固定部材３が上片１２０と第二屋根材２２を貫通し、固定部材３が係止片１３０と結合しているため、雪止め具１００が、第二屋根材２２に強く固定される。このため、雪止め板１１０に雪の荷重が掛かっても、上片１２０や係止片１３０が第二屋根材２２から脱落しにくく、上片１２０や係止片１３０が変形しにくい。このため、雪止め具１００に雪の重みが掛かっても、第二屋根材２２が持ち上げられにくく、第二屋根材２２が捲り上げられにくい。特に、上片１２０が第二屋根材２２の表面上に固定されているため、第二屋根材２２が持ち上げられて、第二屋根材２２と第一屋根材２１との間の隙間が大きくなりにくい。
【００８３】
上片１２０及び係止片１３０が雪止め板１１０に設けられているため、第一の実施形態における傾斜片１９及び水平片１８が存在しない。このため、雪止め具１００を、より少ない材料から形成することができる。
【００８４】
本実施形態に係る雪止め具１００は、第一の実施形態に係る雪止め具１と同様の手順により、設置することができる。
【符号の説明】
【００８５】
１    雪止め具
１０  装着部
１１  雪止め部
１２  上片
１３  係止片
２    屋根材
２１  第一屋根材
２２  第二屋根材
２３  防水堤
２４  前垂れ
２５  中垂れ
３    固定部材
【図１】
2015183385.tif 000003
【図２】
2015183385.tif 000004
【図３】
2015183385.tif 000005
【図４】
2015183385.tif 000006
【図５】
2015183385.tif 000007
【図６】
2015183385.tif 000008
【図７】
2015183385.tif 000009
【図８】
2015183385.tif 000010
【図９】
2015183385.tif 000011